(57)【特許請求の範囲】
【請求項１】
移動隔壁によって区画した第１供給室と第１回収室とを備える第１チャンバと、移動隔壁によって区画した第２供給室と第２回収室とを備える第２チャンバと、透析液供給源を第１流路切換え手段を介して第１供給室と第２供給室とに選択的に連通させる導入通路と、透析器を上記第１流路切換え手段を介して第１供給室と第２供給室とに選択的に連通させる供給通路と、上記透析器を第２流路切換え手段を介して第１回収室と第２回収室とに選択的に連通させる回収通路と、上記第１回収室と第２回収室とを上記第２流路切換え手段を介して回収槽に選択的に連通させる排出通路とを備えた透析装置において、
上記第１流路切換え手段は、それぞれ主ポートが、２つの副ポートのいずれか一方に選択的に切換え接続される第１三方切換え弁と第２三方切換え弁とを備えており、
上記第１三方切換え弁の主ポートに上記導入通路を連通させるとともに、他の２つの副ポートをそれぞれ第１チャンバの第１供給室と第２チャンバの第２供給室とに連通させ、
また上記第２三方切換え弁の主ポートに上記供給通路を連通させるとともに、他の２つの副ポートをそれぞれ第１チャンバの第１供給室と第２チャンバの第２供給室とに連通させ、
緊急透析時には、上記第１三方切換え弁と第２三方切換え弁の流路を切換えて上記導入通路を上記供給通路に連通させ、上記透析液供給源からの新鮮透析液を導入通路および供給通路を介して透析器に供給させることを特徴とする透析装置。
【請求項２】
移動隔壁によって区画した第１供給室と第１回収室とを備える第１チャンバと、移動隔壁によって区画した第２供給室と第２回収室とを備える第２チャンバと、透析液供給源を第１流路切換え手段を介して第１供給室と第２供給室とに選択的に連通させる導入通路と、透析器を上記第１流路切換え手段を介して第１供給室と第２供給室とに選択的に連通させる供給通路と、上記透析器を第２流路切換え手段を介して第１回収室と第２回収室とに選択的に連通させる回収通路と、上記第１回収室と第２回収室とを上記第２流路切換え手段を介して回収槽に選択的に連通させる排出通路とを備えた透析装置において、
上記第２流路切換え手段は、それぞれ主ポートが、２つの副ポートのいずれか一方に選択的に切換え接続される第３三方切換え弁と第４三方切換え弁とを備えており、
上記第３三方切換え弁の主ポートに上記回収通路を連通させるとともに、他の２つの副ポートをそれぞれ第１チャンバの第１回収室と第２チャンバの第２回収室とに連通させ、
また上記第４三方切換え弁の主ポートに上記排出通路を連通させるとともに、他の２つの副ポートをそれぞれ第１チャンバの第１回収室と第２チャンバの第２回収室とに連通させ、
緊急透析時には、上記第３三方切換え弁と第４三方切換え弁の流路を切換えて上記回収通路を上記排出通路に連通させ、上記透析器からの処理済透析液を回収通路および排出通路を介して回収槽に排出させることを特徴とする透析装置。
【発明の詳細な説明】
【０００１】
【産業上の利用分野】
本発明は、透析装置に関する。
【０００２】
【従来の技術】
従来、透析装置として、移動隔壁によって区画した第１供給室と第１回収室とを備える第１チャンバと、移動隔壁によって区画した第２供給室と第２回収室とを備える第２チャンバと、透析液供給源を第１流路切換え手段を介して第１供給室と第２供給室とに選択的に連通させる導入通路と、透析器を上記第１流路切換え手段を介して第１供給室と第２供給室とに選択的に連通させる供給通路と、上記透析器を第２流路切換え手段を介して第１回収室と第２回収室とに選択的に連通させる回収通路と、上記第１回収室と第２回収室とを上記第２流路切換え手段を介して回収槽に選択的に連通させる排出通路とを備えたものは知られている。
この種の透析装置では、第１流路切換え弁によって透析液供給源から給送される新鮮透析液を第１供給室に導入しているときには、第２供給室から前回導入されていた新鮮透析液を透析器に供給し、また透析液供給源から給送される新鮮透析液を第２供給室に導入しているときには、第１供給室から前回導入されていた新鮮透析液を透析器に供給しており、これを繰返し行なうことによって透析器に連続して新鮮透析液を供給することができるようになっている。
また上記透析装置では、第２流路切換え弁によって透析器から排出される処理済透析液を第２回収室で回収しているときには、第１回収室から前回回収されていた処理済透析液を回収槽に排出させ、また透析器から排出される処理済透析液を第１回収室で回収しているときには、第２回収室から前回回収されていた処理済透析液を回収槽に排出させ、これを繰返し行なうことによって透析器から連続して処理済透析液を回収することができるようにしている。
ところでこの種の透析装置では、第１チャンバと第２チャンバとのいずれかに故障が発生しても緊急透析を続けることができるように、導入通路と供給通路とを連通するバイパス通路を設け、上記導入通路からバイパス通路および供給通路を介して直接透析器に新鮮透析液を供給できるようにしている。
他方、上記緊急透析の際に透析器から処理済透析液を排出するために、一般的には透析器の下流側に設けた除気槽を利用している。この除気槽は、以下に詳述するように、本来は通常の透析時に回路内に混入した空気を外部に排出するために設けられるものであるが、そのエア抜き通路を利用してこれを排出通路に接続し、緊急透析時には上記エア抜き通路に設けた開閉弁を開くことにより、緊急透析時の処理済透析液を除気槽およびエア抜き通路を介して外部に排出させるようにしている。
【０００３】
図２は上記供給用バイパス通路とエア抜き通路とを備える従来の透析装置を示したもので、この透析装置は、透析器１に連続して新鮮透析液を供給するために２台の第１チャンバ２と第２チャンバ３とを備えている。これら第１チャンバ２と第２チャンバ３の内部はそれぞれ２枚のダイアフラム等の移動隔壁によって、それぞれ左側が第１供給室４と第２供給室５、中央が第１可変容積室６と第２可変容積室７、右側が第１回収室８と第２回収室９とに区画形成されている。
上記第１チャンバ２の第１供給室４と第２チャンバ３の第２供給室５とは、第１流路切換え手段１０を介して透析液供給源１１に連通する導入通路１２と、透析器１に連通する供給通路１３とに交互に選択的に連通されるようになっている。
上記第１流路切換え手段１０は、それぞれ主ポートが、２つの副ポートのいずれか一方に選択的に切換え接続される第１三方切換え弁１４と第２三方切換え弁１５とを備えており、第１三方切換え弁１４の主ポート１４ａは第１接続通路１６を介して第１供給室４に連通し、他の２つの副ポート１４ｂ、１４ｃは、導入通路１２と供給通路１３とにそれぞれ連通している。また、第２三方切換え弁１５の主ポート１５ａは第２接続通路１７を介して第２供給室５に連通し、他の２つの副ポート１５ｂ、１５ｃは、導入通路１２と供給通路１３とにそれぞれ連通している。
また、上記第１チャンバ２の第１回収室８と第２チャンバ３の第２回収室９とは、第２流路切換え手段２０を介して透析器１に連通する回収通路２１と、回収槽に連通する排出通路２２とに交互に選択的に連通されるようになっている。
上記第２流路切換え手段２０は、それぞれ主ポートが、２つの副ポートのいずれか一方に選択的に切換え接続される第３三方切換え弁２３と第４三方切換え弁２４とを備えており、第３三方切換え弁２３の主ポート２３ａは第３接続通路２５を介して第１回収室８に連通し、他の２つの副ポート２３ｂ、２３ｃは、回収通路２１と排出通路２２とにそれぞれ連通している。また第４三方切換え弁２４の主ポート２４ａは第４接続通路２６を介して第２回収室９に連通し、他の２つの副ポート２４ｂ、２４ｃは、回収通路２１と排出通路２２とにそれぞれ連通している。
【０００４】
そしてさらに、上述したように導入通路１２と供給通路１３とを連通する供給用バイパス通路３０を設け、かつこの供給用バイパス通路３０に開閉弁３１を設けている。この開閉弁３１は通常閉鎖されて導入通路１２と供給通路１３との連通を遮断しているが、上記第１チャンバ２又は第２チャンバ３が故障した際に開放されて、導入通路１２と供給通路１３とを直接連通させ、透析液供給源１１からの新鮮透析液を透析器１に直接供給することができるようになっている。
また、上記回収通路２１には上述した除気槽３２を設けてあり、この除気槽３２から引出したエア抜き通路３３は排出通路２２に連通させている。このエア抜き通路３３に設けた開閉弁３４は通常は閉鎖されているが、透析時に徐々に溜っていく空気が所定量以上となった際に開かれて空気を外部に逃がすことができるようになっている。そして上記開閉弁３４およびエア抜き通路３３は、上記第１チャンバ２又は第２チャンバ３が故障した際にも開放されて、透析器１からの処理済透析液を排出通路２２に逃がすことができるようになっている。
このような構成を有する透析装置は、特開平７−２４２６６号公報に詳述されている。
【０００５】
【発明が解決しようとする課題】
上記バイパス通路３０と開閉弁３１とはチャンバ故障時にしか使用することはないが、万一のためには必要なものであり、それらを設けることによってコストが上昇していた。また、上記エア抜き通路３３は本来的には排出通路２２に連通させる必要はなく、単に除気槽３２に貯溜された空気を回路の外部に逃がせばよいが、緊急透析のためにはこれを排出通路２２に接続する必要があり、その分、部品点数や配管作業が増大してやはりコストアップにつながっていた。
さらに、透析装置を洗浄する際には上記バイパス通路３０や開閉弁３１、並びに除気槽３２、エア抜き通路３３および開閉弁３４も洗浄する必要があり、その洗浄工程が複雑となっていた。
また、開閉弁３１のシールが損なわれて導入通路１２と供給通路１３とが連通すると除水量に誤差が生じて、治療上、重大な事態になる危険性がある。
本発明はそのような事情に鑑み、より簡素な構成で緊急透析を行なうことができる透析装置を提供するものである。
【０００６】
【課題を解決するための手段】
すなわち第１発明は、上述した従来の透析装置において、上記第１流路切換え手段は、それぞれ主ポートが、２つの副ポートのいずれか一方に選択的に切換え接続される第１三方切換え弁と第２三方切換え弁とを備えており、
上記第１三方切換え弁の主ポートに上記導入通路を連通させるとともに、他の２つの副ポートをそれぞれ第１チャンバの第１供給室と第２チャンバの第２供給室とに連通させ、
また上記第２三方切換え弁の主ポートに上記供給通路を連通させるとともに、他の２つの副ポートをそれぞれ第１チャンバの第１供給室と第２チャンバの第２供給室とに連通させ、
緊急透析時には、上記第１三方切換え弁と第２三方切換え弁の流路を切換えて上記導入通路を上記供給通路に連通させ、上記透析液供給源からの新鮮透析液を導入通路および供給通路を介して透析器に供給させるようにしたものである。
【０００７】
また第２発明は、上述した従来の透析装置において、上記第２流路切換え手段は、それぞれ主ポートが、２つの副ポートのいずれか一方に選択的に切換え接続される第３三方切換え弁と第４三方切換え弁とを備えており、
上記第３三方切換え弁の主ポートに上記回収通路を連通させるとともに、他の２つの副ポートをそれぞれ第１チャンバの第１回収室と第２チャンバの第２回収室とに連通させ、
また上記第４三方切換え弁の主ポートに上記排出通路を連通させるとともに、他の２つの副ポートをそれぞれ第１チャンバの第１回収室と第２チャンバの第２回収室とに連通させ、
緊急透析時には、上記第３三方切換え弁と第４三方切換え弁の流路を切換えて上記回収通路を上記排出通路に連通させ、上記透析器からの処理済透析液を回収通路および排出通路を介して回収槽に排出させるようにしたものである。
【０００８】
【作用】
第１発明の構成によれば、上記第１三方切換え弁の主ポートと一方の副ポートとを介して導入通路と第１チャンバの第１供給室とを連通させるとともに、第２三方切換え弁の主ポートと一方の副ポートとを介して第２チャンバの第２供給室と供給通路とを連通させることができる。これにより、導入通路から第１チャンバの第１供給室に新鮮透析液を供給するのと同時に、第２チャンバの第２供給室から供給通路を介して透析器に新鮮透析液を供給することができる。
他方、上記第１三方切換え弁の主ポートと他方の副ポートとを介して導入通路と第２チャンバの第２供給室とを連通させるとともに、第２三方切換え弁の主ポートと他方の副ポートとを介して第１チャンバの第１供給室と供給通路とを連通させることができる。これにより、導入通路から第２チャンバの第２供給室に新鮮透析液を供給するのと同時に、第１チャンバの第１供給室から供給通路を介して透析器に新鮮透析液を供給することができる。
したがって、上記第１三方切換え弁と第２三方切換え弁との流路を切り換えることにより、第１チャンバの第１供給室と第２チャンバの第２供給室とから透析器に新鮮透析液を連続的に供給することができる。
【０００９】
そして、第１発明において、チャンバの故障時には、第１三方切換え弁の主ポートと上記一方の副ポートとを連通させて導入通路と第１チャンバの第１供給室とを連通させると同時に、第２三方切換え弁の主ポートと上記他方の副ポートとを連通させて第１チャンバの第１供給室と供給通路とを連通させることができる。
このように、緊急透析時には、上記第１三方切換え弁と第２三方切換え弁の流路を切換えて上記導入通路を上記供給通路に連通させ、上記透析液供給源からの新鮮透析液を導入通路および供給通路を介して透析器に供給させるようにしているので、従来必要であった導入通路と供給通路とを連通するバイパス通路と、これを開閉する開閉弁とを省略することができる。
【００１０】
また第２発明の構成によれば、上記第３三方切換え弁の主ポートと一方の副ポートとを介して回収通路と第２チャンバの第２回収室とを連通させるとともに、第４切換え弁の主ポートと一方の副ポートを介して第１チャンバの第１回収室と排出通路とを連通させることができる。これにより、回収通路から第２チャンバの第２回収室に処理済透析液を回収するのと同時に、第１チャンバの第１回収室から排出通路を介して回収槽に処理済透析液を排出することができる。
他方、上記第３三方切換え弁の主ポートと他方の副ポートとを介して回収通路と第１チャンバの第１回収室とを連通させるとともに、第４三方切換え弁の主ポートと他方の副ポートとを介して第２チャンバの第２回収室と回収通路とを連通させることができる。これにより、回収通路から第１チャンバの第１回収室に処理済透析液を供給するのと同時に、第２チャンバの第２回収室から排出通路を介して透析器に処理済透析液を供給することができる。
したがって、上記第３三方切換え弁と第４三方切換え弁との流路を切り換えることにより、透析器から第１チャンバの第１回収室と第２チャンバの第２回収室とに処理済透析液を連続的に排出することができる。
【００１１】
そして、第２発明において、チャンバの故障時には、上記第３三方切換え弁の主ポートと上記一方の副ポートとを連通させて回収通路と第２チャンバの第２回収室とを連通させると同時に、第４三方切換え弁の主ポートと上記他方の副ポートとを連通させて第２チャンバの第２回収室と排出通路とを連通させることができる。
このように、緊急透析時には、上記第３三方切換え弁と第４三方切換え弁の流路を切換えて上記回収通路を上記排出通路に連通させ、上記透析器からの処理済透析液を回収通路および排出通路を介して回収槽に排出させるようにしているので、従来必要であったエア抜き通路を排出通路に接続する必要性を無くすことができる。
【００１２】
【実施例】
以下図示実施例について本発明を説明すると、図１において、本実施例の透析装置の基本的構成は上述した従来公知の透析装置と同等であり、同一部分若しくは相当部分には、図２で用いた符号と同一の符号を付して示してある。
しかして本実施例における第１流路切換え手段１０は、それぞれ主ポートが、２つの副ポートのいずれか一方に選択的に切換え接続される第１三方切換え弁１４と第２三方切換え弁１５とを備えている点では従来装置と同じであるが、上記第１三方切換え弁１４の主ポート１４ａは導入通路１２に連通させてあり、また他の２つの副ポート１４ｂ、１４ｃは、それぞれ接続通路４０を介して第１チャンバ２の第１供給室４と第２チャンバ３の第２供給室５とに連通させている。
また、上記第２三方切換え弁１５の主ポート１５ａは供給通路１３に連通させてあり、他の２つの副ポート１５ｂ、１５ｃは、それぞれ接続通路４１および上記接続通路４０を介して第１チャンバ２の第１供給室４と第２チャンバ３の第２供給室５とに連通させている。
さらにまた、本実施例における第２流路切換え手段２０は、それぞれ主ポートが、２つの副ポートのいずれか一方に選択的に切換え接続される第３三方切換え弁２３と第４三方切換え弁２４とを備えており、上記第３三方切換え弁２３の主ポート２３ａは回収通路２１に連通させてあり、また他の２つの副ポート２３ｂ、２３ｃは、それぞれ接続通路４３を介して第１チャンバ２の第１回収室８と第２チャンバ３の第２回収室９とに連通させている。
そして、上記第４三方切換え弁２４の主ポート２４ａは排出通路２２に連通させてあり、他の２つの副ポート２４ｂ、２４ｃは、それぞれ接続通路４４および上記接続通路４３を介して第１チャンバ２の第１回収室８と第２チャンバ３の第２回収室９とに連通させている。
また、エア抜き通路３３は従来装置のように排出通路２２には接続させていない。
【００１３】
上述した構成によれば、透析器１に新鮮透析液を供給する際には、第１三方切換え弁１４の主ポート１４ａと一方の副ポート１４ｂとを連通させて導入通路１２と第１供給室４とを連通させるとともに、第２三方切換え弁１５の主ポート１５ａと一方の副ポート１５ｃとを連通させて第２チャンバ３の第２供給室５と供給通路１３とを連通させる。
この状態では、導入通路１２から第１チャンバ２の第１供給室４に新鮮透析液を導入すると同時に、第２チャンバ３の第２供給室５から前回導入されていた新鮮透析液を供給通路１３を介して透析器１に供給することができる。
次に、上記第１三方切換え弁１４の主ポート１４ａと他方の副ポート１４ｃとを連通させて導入通路１２と第２チャンバ３の第２供給室５とを連通させるとともに、第２三方切換え弁１５の主ポート１５ａと他方の副ポート１５ｂとを連通させて第１チャンバ２の第１供給室４と供給通路１３とを連通させる。
この状態では、導入通路１２から第２チャンバ３の第２供給室５に新鮮透析液を導入すると同時に、第１チャンバ２の第１供給室４から前回導入されていた新鮮透析液を供給通路１３を介して透析器１に供給することができる。
したがって、上述したように第１三方切換え弁１４と第２三方切換え弁１５とを切換え制御することにより透析器１に連続して新鮮透析液を供給することができる。
【００１４】
他方、透析器１からの処理済透析液の排出は、先ず、第３三方切換え弁２３の主ポート２３ａと一方の副ポート２３ｂとを連通させて回収通路２１と第１チャンバ２の第１回収室８とを連通させるとともに、第４三方切換え弁２４の主ポート２４ａと一方の副ポート２４ｃとを連通させて第２チャンバ３の第２回収室９と排出通路２２とを連通させる。
この状態では、回収通路２１から第１チャンバ２の第１回収室８に処理済透析液を回収すると同時に、第２チャンバ３の第２回収室９から前回導入されていた処理済透析液を排出通路２２を介して回収槽に排出することができる。
次に、第３三方切換え弁２３の主ポート２３ａと他方の副ポート２３ｃとを連通させて回収通路２１と第２チャンバ３の第２回収室９とを連通させるとともに、第４三方切換え弁２４の主ポート２４ａと他方の副ポート２４ｂとを連通させて第１チャンバ２の第１回収室８と排出通路２２とを連通させる。
この状態では、回収通路２１から第２チャンバ３の第２回収室９に処理済透析液を回収すると同時に、第１チャンバ２の第１回収室８から前回導入されていた処理済透析液を排出通路２２を介して回収槽に排出することができる。
したがって、上述したように第３三方切換え弁２３と第４三方切換え弁２４とを交互に切換制御することにより透析器１から処理済透析液を連続して排出することができる。
【００１５】
ところで、透析を行なっている最中に第１チャンバ２又は第２チャンバ３のいずれか一方に故障が発生した場合には、第１三方切換え弁１４の主ポート１４ａと一方の副ポート１４ｂとを連通させて導入通路１２と第１チャンバ２の第１供給室４とを連通させるとともに、第２三方切換え弁１５の主ポート１５ａと他方の副ポート１５ｂとを連通させて上記第１供給室４と供給通路１３とを連通させる。
これと同時に、第３三方切換え弁２３の主ポート２３ａと一方の副ポート２３ｃとを連通させて回収通路２１と第２チャンバ３の第２回収室９とを連通させるとともに、第４三方切換え弁２４の主ポート２４ａと他方の副ポート２４ｃとを連通させて第２チャンバ３の第２回収室９と排出通路２２とを連通させる。
この状態では、透析液は導入通路１２から第１三方切換え弁１４を介して接続通路４０に流通した後、これに接続された接続通路４１から第２三方切換え弁１５を介して供給通路１３を流通した後、透析器１に供給されるようなる。
そして透析器１を流通した処理済透析液は、回収通路２１から第３三方切換え弁２３を介して接続通路４３を流通した後、これに接続された接続通路４４から第４三方切換え弁２４を流通して排出通路２２に排出される。
したがって、上述したように従来の透析装置に設けていた導入通路１２と供給通路１３とを連通するバイパス通路３０と開閉弁３１を省略することができ、またエア抜き通路３３を排出通路２２に接続しなくても、緊急透析を行なうことができる。
【００１６】
なお上記実施例では、緊急透析時には、第１チャンバ２の第１供給室４に導入通路１２と供給通路１３とを同時に連通させているが、上述した説明から明らかなように、実際には第１供給室４に透析液は流通していない。しかしながら、各三方切換え弁１４、１５からの２本の接続通路４０、４１を直接第１供給室４に接続すれば、実際に第１供給室４に透析液を流通させることができる。いずれの形態であっても、本発明の技術的範囲内である。
また上記実施例では、緊急透析時に、第１チャンバ２の第１供給室４に導入通路１２と供給通路１３とを同時に連通させるようにしているが、これに限定されるものではなく、第２チャンバ３の第２供給室５に導入通路１２と供給通路１３とを同時に連通させるようにしてもよい。すなわち、第１三方切換え弁１４の主ポート１４ａと他方の副ポート１４ｃとを連通させて導入通路１２と接続通路４０と第２チャンバ３の第２供給室５とを連通させるとともに、第２三方切換え弁１５の主ポート１５ａと一方の副ポート１５ｃとを連通させて上記第２供給室５と供給通路１３とを連通させてもよい。この場合でも、上記実施例と同様に緊急時の透析を行なうことができることは明らかである。
さらに、排出側も同様に第１チャンバ２の第１回収室８側に回収通路２１と排出通路２２を連通させるようにしてもよい。
【００１７】
【発明の効果】
以上のように、第１発明によれば、従来の透析装置に比較して、導入通路と供給通路を連通するバイパス通路とこれを開閉する開閉弁を省略することができるので、その分コストを低減することができ、また透析装置の洗浄時の煩わしさを軽減することができる。さらに開閉弁のシール性が損なわれることによる除水量の誤差の発生を防止することができるという効果が得られる。
また第２発明によれば、従来の透析装置に比較して、エア抜き通路を回収通路に接続する必要性を省略することができるので、その分コストを低減することができる。また必要に応じて、除気槽、開閉弁およびエア抜き通路を省略することも可能となる。
【図面の簡単な説明】
【図１】本発明の一実施例を示す系統図。
【図２】従来の透析装置の系統図。
【符号の説明】
１…透析器                      ２…第１チャンバ
３…第２チャンバ                ４…第１供給室
５…第２供給室                  ８…第１回収室
９…第２回収室                  １０…第１流路切換手段
１２…導入通路                  １３…供給通路
１４…第１三方切換え弁          １４ａ…主ポート
１４ｂ、１４ｃ…副ポート        １５…第２三方切換え弁
１５ａ…主ポート                １５ｂ、１５ｃ…副ポート
２０…第２流路切換手段          ２１…回収通路
２２…排出通路                  ２３…第３三方切換え弁
２３ａ…主ポート                ２３ｂ、２３ｃ…副ポート
２４…第４三方切換え弁          ２４ａ…主ポート
２４ｂ、２４ｃ…副ポート        ３２…除気槽
３３…エア抜き通路              ３４…開閉弁
【図１】
0003648866.tif 000002
【図２】
0003648866.tif 000003